(57)【特許請求の範囲】
【請求項１】
ロータリーカバー（１）を有するロータリー耕耘装置において、該ロータリーカバー（１）を前後回動操作するロータリーカバー操作スクリュウ（９）を設け、該ロータリーカバー操作スクリュウ（９）のリテーナ（５０）に、パイプ状に形成したリテーナ延長パイプ（９ｅ）を取り付けて、該リテーナ延長パイプ（９ｅ）とリテーナ（５０）とをロールピン（５３）により固定し、アッパーアーム（７）に固設したリテーナブラケット（７ａ）に該リテーナ延長パイプ（９ｅ）を挿入し、該ロータリーカバー操作スクリュウ（９）をアッパーアーム（７）に対して回動自在に支持し、該リテーナ延長パイプ（９ｅ）の反リテーナ（５０）側端部には、止め輪等の係止部材（５４）を環装して、リテーナ延長パイプ（９ｅ）がリテーナブラケット（７ａ）から抜け出ることを防止し、またリテーナ延長パイプ（９ｅ）のリテーナ（５０）側端部は、リテーナ（５０）の側面に当接して、ロータリーカバー操作スクリュウ（９）のアッパーアーム（７）に対する取付位置を位置決めしたことを特徴とするロータリー耕耘装置。
【請求項２】
請求項１記載のロータリー耕耘装置において、該ロータリーカバー操作スクリュウ（９）のリテーナ（５０）に、パイプ状に形成され、操作スクリュウ（９）の外周部を覆うスクリュウカバー（５１）を挿嵌して取り付け、該リテーナ（５０）及びスクリュウカバー（５１）の挿嵌部の略対向する位置にそれぞれ固定孔（５０ａ・５０ａ）（５１ａ・５１ａ）を形成して、互いに対向する位置に形成した固定孔（５０ａ・５１ａ）（５０ａ・５１ａ）を、それぞれ軸心から反対方向にオフセットさせ、該操作スクリュウ（９）を回転操作する操作ハンドル（９ｃ）の回転を規制するハンドルストッパ（５２）の両端部を、該固定孔（５０ａ・５１ａ）（５０ａ・５１ａ）に挿入することにより、スクリュウカバー（５１）をリテーナ（５０）に固定したことを特徴とするロータリー耕耘装置。
【発明の詳細な説明】
【０００１】
【発明の属する技術分野】
本発明は、トラクタ等に装着されるロータリー耕耘装置のロータリーカバーの構成に関する。
【０００２】
【従来の技術】
従来から、トラクタ等に装着されるロータリー耕耘装置においては、ロータリーカバーが前後回動可能に構成されており、該ロータリーカバーを前後回動操作するためのロータリーカバー操作スクリュウが設けられていた。そして、ロータリーカバー操作スクリュウには、該ロータリーカバー操作スクリュウをロータリー耕耘装置のアッパーアームに取り付けるためのリテーナが設けられ、該リテーナは全体的に一体形成されていた。また、ロータリーカバー操作スクリュウの外周部にはスクリュウカバーが設けられて、カバーストッパによりロータリーカバー操作スクリュウに取り付けられており、ロータリーカバー操作スクリュウの操作ハンドルが不用意に回転することを防止するために、該操作ハンドルの回転を抑制するハンドルストッパが設けられていた。そして、該カバーストッパとハンドルストッパとは別体に形成されていた。
【０００３】
【発明が解決しようとする課題】
しかし、前述のように、ロータリーカバー操作スクリュウのリテーナは、全体的に一体形成されていたので、該リテーナを加工する際に加工工数が多くなり、加工コストが高くついていた。また、ロータリーカバー操作スクリュウのカバーストッパとハンドルストッパとが別体に形成されていたので、部品点数が多くなってコスト高になり、スクリュウカバーが経年変化により外れ易くなっていた。
【０００４】
【課題を解決するための手段】
本発明は、以上のような課題を解決するために、次のような手段を用いる。
【０００５】
請求項１においては、ロータリーカバー（１）を有するロータリー耕耘装置において、該ロータリーカバー（１）を前後回動操作するロータリーカバー操作スクリュウ（９）を設け、該ロータリーカバー操作スクリュウ（９）のリテーナ（５０）に、パイプ状に形成したリテーナ延長パイプ（９ｅ）を取り付けて、該リテーナ延長パイプ（９ｅ）とリテーナ（５０）とをロールピン（５３）により固定し、アッパーアーム（７）に固設したリテーナブラケット（７ａ）に該リテーナ延長パイプ（９ｅ）を挿入し、該ロータリーカバー操作スクリュウ（９）をアッパーアーム（７）に対して回動自在に支持し、該リテーナ延長パイプ（９ｅ）の反リテーナ（５０）側端部には、止め輪等の係止部材（５４）を環装して、リテーナ延長パイプ（９ｅ）がリテーナブラケット（７ａ）から抜け出ることを防止し、またリテーナ延長パイプ（９ｅ）のリテーナ（５０）側端部は、リテーナ（５０）の端面に当接させ、ロータリーカバー操作スクリュウ（９）のアッパーアーム（７）に対する位置を決めるものである。
【０００６】
請求項２においては、請求項１記載のロータリー耕耘装置において、該ロータリーカバー操作スクリュウ（９）のリテーナ（５０）に、パイプ状に形成され、操作スクリュウ（９）の外周部を覆うスクリュウカバー（５１）を挿嵌して取り付け、該リテーナ（５０）及びスクリュウカバー（５１）の挿嵌部の略対向する位置にそれぞれ固定孔（５０ａ・５０ａ）（５１ａ・５１ａ）を形成して、互いに対向する位置に形成した固定孔（５０ａ・５１ａ）（５０ａ・５１ａ）を、それぞれ軸心から反対方向にオフセットさせ、該操作スクリュウ（９）を回転操作する操作ハンドル（９ｃ）の回転を規制するハンドルストッパ（５２）の両端部を、該固定孔（５０ａ・５１ａ）（５０ａ・５１ａ）に挿入することにより、スクリュウカバー（５１）をリテーナ（５０）に固定したものである。
【０００７】
【発明の実施の形態】
本発明の解決すべき課題及び手段は以上の如くであり、次に添付の図面に示した本発明の一実施例を説明する。
【０００８】
図１は本発明のロータリー耕耘装置を示す全体側面図、図２は同じく平面図、図３はロータリーカバー操作スクリュウを示す側面断面図、図４は同じく平面断面図、図５はアジャストスクリュウのリテーナ部を示す側面断面図、図６はアジャストスクリュウのリテーナ部に装着されたカバーロック部材を示す側面図、図７はロータリーカバーとリアカバーとの枢支部を示す側面図、図８は同じく平面図である。
【０００９】
まず、本発明のロータリー耕耘装置の構成について図１、図２により説明する。ロータリー耕耘装置のＰＴＯ入力ギアケース５の内部には、左右中央部にＰＴＯ入力部が形成されていて、トラクタのＰＴＯ軸にユニバーサルジョイントを介して連結される入力軸４３が該ＰＴＯ入力ギアケース５から前方に突出されている。ＰＴＯ入力ギアケース５は、左右に管フレーム５ａ・５ａを形成して、その一外端部に下方延出状にチェーンケース４を設けるとともに、他外端部に側板４ａを設けている。該チェーンケース４と側板４ａとの間に耕耘爪３ａを放射状に取り付けた耕耘爪軸３を横設し、耕耘爪駆動部を形成している。チェーンケース４を取り付けた側の管フレーム５ａ内には、該チェーンケース４内のチェーン伝動装置に動力を伝達するための伝動軸４４が内設され、トラクタのＰＴＯ軸の動力を入力軸４３にて取り入れ、この伝動軸及びチェーン伝動装置を介して、耕耘爪軸３を駆動するものとなっている。
【００１０】
更に、ＰＴＯ入力ギアケース５の前端において、トラクタの左右ロアリンクに連結するための左右一対のロアリンクブラケット５ｃ・５ｃを前方に突設し、また、該ＰＴＯ入力ギアケース５の左右中央部の上部には支持台６を立設し、該支持台６の上に後部上方延出状のアッパーアーム７を立設し、該アッパーアーム７の前上部には、トラクタのトップリンクに連結するためのトップリンク取付部７ｃを形成している。そして、トラクタの作業機装着装置のトップリンクのヒッチをトップリンク取付部７ｃに係止するとともに、該作業機装着装置のロアリンクのヒッチをロアリンクブラケット５ｃ・５ｃに係止されるものとしている。
【００１１】
そして、ＰＴＯ入力ギアケース５の後端には、左右一対のヒンジ５ｂ・５ｂが後方に突設されており、各ヒンジ５ｂ・５ｂに、尾輪支持用フレーム３９・３９の前端が上下回動自在に枢支されている。各尾輪支持用フレーム３９は管材であり、後端が開口している。また、左右の尾輪支持用フレーム３９・３９は、前後中央付近にて左右方向の連結フレーム３９ａにて一体状に連結されており、従って、両ヒンジ５ｂ・５ｂに対して一体状に上下回動する。該連結フレーム３９ａの左右中央部と、前記アッパーアーム７の後端部の枢支部７ｂとの間に、伸縮自在のアジャストスクリュウ４１を枢結している。該アジャストスクリュウ４１はネジ杆となっていて、アジャストハンドル４２を持って回転操作すると、回転して伸縮する。その伸縮量に応じてヒンジ５ｂの枢支点に対しての尾輪支持用フレーム３９の上下傾斜角が調節され、該尾輪支持用フレーム３９・３９及びその後部に支持した尾輪ビーム４０を略水平に保持する。
【００１２】
また、耕耘爪軸３及びそれより突設する耕耘爪を覆うようにロータリーカバー１を配設し、チェーンケース４とその反対側の側板４ａにおける耕耘爪軸３の軸受け部分にロータリーカバー１を前後回動自在に枢支し、該ロータリーカバー１を耕耘爪駆動部に対して前後回動自在としており、ロータリーカバー１の後端にはリアカバー２の前端を上下回動自在に枢支している。
【００１３】
リアカバー２には、左右一対のハンガーブラケット２ａ・２ａが設けられている。一方、ロータリーカバー１に左右一対のロアアーム１８・１８が固設されており、各ロアアーム１８先端の内側に、ホルダー軸１９が、左右方向の軸芯回りに回動自在に横設されている。そして、リアカバー２のロータリーカバー１に対する上下揺動を作動させるための摺動杆であるハンガーロッド２０を、該ハンガーロッド２０の摺動部である前記ホルダー軸１９に断面視直径方向に貫通状に穿設したスライド孔に摺動自在に貫通するとともに、該ハンガーロッド２０の基端を、前記のリアカバー２のハンガーブラケット２ａに枢支して、ロータリーカバー１とリアカバー２との間に左右一対のハンガーロッド２０・２０を介装するようにする。
【００１４】
各ハンガーロッド２０において、ホルダー軸１９よりも上方（前方）の部分には引っ張りバネである緩衝バネ２２を巻装し、ホルダー軸１９よりも下方（後方）の部分には引っ張りバネである加圧バネ２４を巻装している。そして、該緩衝バネ２２及び加圧バネ２４により、リアカバー２へ負荷がかかった場合に衝撃を吸収するように構成している。
【００１５】
そして、アッパーアーム７の基端寄り部分にリテーナブラケット７ａを左右方向に横設して、左右一側を外側に突出させ、該リテーナブラケット７ａにロータリーカバー操作スクリュウ９のリテーナ延長パイプ９ｅを挿入して、該リテーナブラケット７ａによりロータリーカバー操作スクリュウ９を回動自在に支持している。該ロータリーカバー操作スクリュウ９は、ネジ杆（回動スクリュー）であって、上部が回動軸部９ａ、下部が伸縮部９ｂとなっており、該回動軸部９ａを前上方に突出して、その先端に操作ハンドル９ｃを付設しており、該操作ハンドル９ｃの回動操作によって回動軸部９ａを回動し、ネジ杆となっている伸縮部９ｂが伸縮する。ロータリーカバー操作スクリュウ９の基端は、ロータリーカバー１上に設けたブラケット１０に枢結され、ロータリーカバー操作スクリュウ９の伸縮量に応じてロータリーカバー１が前後回動する構成としている。耕深設定時には、このロータリーカバー操作スクリュウ９の伸縮操作にてロータリーカバー１を前後回動し、その後部に配設したリアカバー２の後端を圃場面に接する高さに合わせるのである。
【００１６】
次に、ロータリーカバー操作スクリュウ９の構成について説明する。図３、図４に示すように、ロータリーカバー操作スクリュウ９は、回動軸部９ａに伸縮部９ｂを螺嵌し、該回動軸部９ａの先端部に操作ハンドル９ｃを一体的に回動可能に取り付けている。該操作ハンドル９ｃと回動軸部９ａの螺子形成部９ｆとの間には、リテーナ５０を設けており、該リテーナ５０により回動軸部９ａを回転自在に支持している。
【００１７】
回動軸部９ａ及び伸縮部９ｂの外周部には、パイプ状に形成され該回動軸部９ａ及び伸縮部９ｂを覆うスクリュウカバー５１を配置しており、該スクリュウカバー５１はリテーナ５０に挿嵌して取り付けられている。また、リテーナ５０には、パイプ状部材であるリテーナ延長パイプ９ｅが挿嵌されて取り付けられており、該リテーナ延長パイプ９ｅは回動軸部９ａと直交する方向に突出している。該リテーナ延長パイプ９ｅ及びリテーナ５０の挿嵌部にはロールピン５３を貫通させて、該ロールピン５３により、リテーナ延長パイプ９ｅをリテーナ５０に対して固定している。
【００１８】
そして、リテーナ延長パイプ９ｅは、前記アッパーアーム７に固設されたリテーナブラケット７ａに回動自在に挿入され、これにより、ロータリーカバー操作スクリュウ９がアッパーアーム７に回動自在に支持されている。リテーナ延長パイプ９ｅの反リテーナ５０側端部には止め輪等の係止部材５４を環装して、リテーナ延長パイプ９ｅがリテーナブラケット７ａから抜け出ることを防止している。また、リテーナ延長パイプ９ｅのリテーナ５０側端は、リテーナ５０の側面に当接して、ロータリーカバー操作スクリュウ９のアッパーアーム７に対する取付位置を位置決めしている。
【００１９】
このように、ロータリーカバー操作スクリュウ９のリテーナ５０に、パイプ状に形成したリテーナ延長パイプ９ｅを取り付けて、該リテーナ延長パイプ９ｅとリテーナ５０とをロールピン５３により固定し、アッパーアーム７に固設したリテーナブラケット７ａに該リテーナ延長パイプ９ｅを挿入することにより、該アッパーアーム７にロータリーカバー操作スクリュウ９を取り付け、ロータリーカバー操作スクリュウ９の取付位置を、リテーナ５０側面にて位置決めすることにより、該ロータリーカバー操作スクリュウ９のリテーナ部を構成する場合に、各構成部材を溶接等により連結する必要がなくなるとともに、構成部材の機械加工部分を減少することができるため、組み付け作業が容易になり、コスト低減を図ることが可能となる。また、リテーナの共用が可能となり、リテーナ延長パイプ９ｅがリテーナ５０から抜け出すことを防止することができる。また、リテーナ部にリテーナ延長パイプ９ｅの如くパイプ部材を用いることで、ロータリーカバー操作スクリュウ９の軽量化を図ることができる。
【００２０】
前記スクリュウカバー５１のリテーナ５０への挿嵌部には、略対向する位置に固定孔５０ａ・５０ａが穿設され、リテーナ５０の挿嵌部においても、固定孔５０ａ・５０ａに対応する位置に固定孔５１ａ・５１ａが穿設されている。略対向する位置に設けられた固定孔５０ａ・５１ａと固定孔５０ａ・５１ａとには、操作ハンドル９ｃの回転動作を規制するハンドルストッパ５２の挿入部５２ａが、それぞれ挿入されている。即ち、対応する位置に設けられた固定孔５０ａと固定孔５１ａとの両方に同一の挿入部５２ａが挿入され、ハンドルストッパ５２がリテーナ５０を挟み込むように、略対向する位置に設けられた固定孔５０ａ・５１ａと固定孔５０ａ・５１ａとに、それぞれ挿入部５２ａが挿入されているのである。該ハンドルストッパ５２は、固定孔５０ａ・５１ａに挿入部５２ａを挿入することで、挿入部５２ａを中心に回動可能にリテーナ５０に取り付けられ、ハンドルストッパ５２を回動することで、ハンドルストッパ５２による操作ハンドル９ｃの回転動作の規制状態を切り換えるように構成している。
【００２１】
そして、ハンドルストッパ５２の挿入部５２ａを、リテーナ５０の固定孔５０ａとともに、スクリュウカバー５１の固定孔５１ａに挿入することで、リテーナ５０に挿嵌したスクリュウカバー５１を、該挿入部５２ａにより位置固定している。即ち、ハンドルストッパ５２は、スクリュウカバー５１の固定部材としての機能をも兼ねているのである。このように、ハンドルストッパ５２によりスクリュウカバー５１を固定することで、該スクリュウカバー５１をリテーナ５０に固定するための固定部材を別に設ける必要がなくなり、コストダウンを図ることができる。
【００２２】
また、略対向する位置に設けられた固定孔５０ａ・５１ａと固定孔５０ａ・５１ａとは、それぞれ軸心Ｏから反対方向に寸法Ｄだけオフセットして配置されている。このように、略対向する位置に設けられた固定孔５０ａ・５１ａと固定孔５０ａ・５１ａとを、軸心Ｏから互いに反対方向にオフセットして配置することにより、ハンドルストッパ５２の保持力を向上することができ、スクリュウカバー５１を確実に固定することが可能となって、該スクリュウカバー５１がリテーナ５０から経時的に外れることを防止することができる。
【００２３】
次に、前記尾輪支持用フレーム３９の上下傾斜角を調節する前記アジャストスクリュウ４１におけるアジャストスクリュウカバー６１の固定構造について説明する。図５、図６に示すように、アジャストスクリュウ４１は、回動軸部４１ａに伸縮部４１ｂを螺嵌し、該回動軸部４１ａの先端部にアジャストハンドル４２を一体的に回動可能に取り付けている。そして、アジャストハンドル４２を回動操作することにより、回動軸部４１ａが一体的に回動され、伸縮部４１ｂがアジャストハンドル４２の回動方向に応じて伸縮するように構成している。また、アジャストハンドル４２と回動軸部４１ａの螺子形成部４１ｃとの間には、リテーナ６０を設けており、該リテーナ６０により回動軸部４１ａを回転自在に支持している。該リテーナ６０は前記アッパーアーム７の枢支部７ｂに枢支されており、これにより、アジャストスクリュウ４１がアッパーアーム７に枢支されている。
【００２４】
アジャストスクリュウ４１の回動軸部４１ａ及び伸縮部４１ｂの外周部には、パイプ状に形成され該回動軸部４１ａ及び伸縮部４１ｂを覆うスクリュウカバー６１を配置しており、該スクリュウカバー６１はリテーナ６０に挿嵌して取り付けられている。また、スクリュウカバー６１の反リテーナ６０側端部は、前記連結フレーム３９ａの左右中央部に取り付けられている。前記リテーナ６０には、バネ鋼材等のバネ状部材を板状に形成して構成されたカバーロック部材６２がニップル６３等の取付部材により装着され、該カバーロック部材６２は、リテーナ６０からスクリュウカバー６１方向へ延出している。
【００２５】
スクリュウカバー６１方向へ延出した部分のカバーロック部材６２は、スクリュウカバー６１の半径方向内側へ略半円形状に切り起こした爪部６２ａを形成しており、該スクリュウカバー６１をリテーナ６０へ挿嵌した状態において、該爪部６２ａがスクリュウカバー６１に形成した嵌合孔６１ａへ嵌合するように構成している。このように、リテーナ６０に装着したカバーロック部材６２の爪部６２ａを、スクリュウカバー６１の嵌合孔６１ａへ嵌合することで、リテーナ６０に挿嵌したスクリュウカバー６１を位置固定している。
【００２６】
また、カバーロック部材６２のスクリュウカバー６１側の先端部は、スクリュウカバー６１の半径方向外側へ屈曲した把手部６２ｂを形成しており、該把手部６２ｂを摘んでカバーロック部材６２を外側方向へ持ち上げると、嵌合孔６１ａに嵌合していた爪部６２ａが外れて、スクリュウカバー６１をリテーナ６０から取り外すことができる。そして、カバーロック部材６２はバネ状部材により構成されているので、外側方向へ持ち上げた把手部６２ｂを離すと、爪部６２ａはその弾性力により嵌合孔６１ａに嵌合する位置まで戻る。さらに、スクリュウカバー６１をリテーナ６０から取り外した状態から該リテーナ６０へ挿嵌すると、カバーロック部材６２の爪部６２ａがスクリュウカバー６１の端部に当接して外側方向へ持ち上げられ、該スクリュウカバー６１のリテーナ６０への挿嵌が終了すると、爪部６２ａと嵌合孔６１ａの位置が合い、カバーロック部材６２の弾性力によって持ち上げられる以前の位置に自動的に戻り、該爪部６２ａが嵌合孔６１ａと嵌合する。
【００２７】
このように、リテーナ６０に装着したバネ状部材により構成されるカバーロック部材６２に内側方向へ切り起こされた爪部６２ａを形成し、該爪部６２ａをスクリュウカバー６１に形成した嵌合孔６１ａに嵌合させることでスクリュウカバー６１をリテーナ６０に固定し、該カバーロック部材６２のスクリュウカバー６１側端部を外側方向に屈曲して把手部６２ｂを形成することにより、スクリュウカバー６１をリテーナ６０に取り付ける際には、該スクリュウカバー６１をリテーナ６０に挿嵌するだけで、自動的に嵌合孔６１ａに爪部６２ａが嵌合してスクリュウカバー６１を取付位置に確実に固定することができ、スクリュウカバー６１をリテーナ６０から取り外す際には、カバーロック部材６２の把手部６２ｂを外側へ持ち上げるだけでスクリュウカバー６１の固定状態を解除することができて、簡単に該スクリュウカバー６１を取り外すことができる。
【００２８】
従って、スクリュウカバー６１のリテーナ６０への取り付け及び取り外しが、工具を用いることなく簡単な作業で容易に行うことが可能となる。さらに、反リテーナ６０側端部が連結フレーム３９ａの左右中央部に取り付けられているスクリュウカバー６１の他端部を固定するカバーロック部材６２は、アジャストスクリュウ４１の回り止めをしても作用することができる。
【００２９】
次に、ロータリーカバー１の後端部に上下回動自在に枢支されるリアカバー２のロータリーカバー１への取付構造について説明する。図７、図８に示すように、ロータリーカバー１後端部の中央は切り欠かれて凹部１ａを形成し、リアカバー２前端部の中央は同じく切り欠かれて凹部２ｂを形成している。ロータリーカバー１の凹部１ａが形成された部分には、該ロータリーカバー１の上面からリアカバーヒンジ７０がボルト等により取り付けられ、該リアカバーヒンジ７０のヒンジ部７０ａは前方に開放しており、該リアカバーヒンジ７０はバネ鋼材等のバネ状部材により構成されている。
【００３０】
また、リアカバー２の凹部２ｂの左右端部からは、該リアカバー２に固着されたヒンジピン７１・７１の先端部７１ａ・７１ａが内側方向へ向かって突出しており、該ヒンジピン７１の先端部７１ａは他部よりも小径に形成されている。即ち、ヒンジピン７１は、先端部７１ａが小径に形成された段付きピンに構成されている。そして、ヒンジピン７１の先端部７１ａは、前記リアカバーヒンジ７０のヒンジ部７０ａと回動自在に係合しており、ヒンジ部７０ａと係合する先端部７１ａの前方には、ロータリーカバー１に装着されたストッパー７２を配置して、該ヒンジピン７１の先端部７１ａがヒンジ部７０ａから外れないように規制している。
【００３１】
このようにロータリーカバー１に枢支されるリアカバー２を、該ロータリーカバー１に取り付ける際には、まず、リアカバーヒンジ７０をロータリーカバー１の上面に装着し、該ロータリーカバー１に装着したリアカバーヒンジ７０のヒンジ部７０ａへ、リアカバー２に固着したヒンジピン７１・７１の先端部７１ａ・７１ａを係合させ、その後、前記ストッパー７２をロータリーカバー１に取り付けるのである。
【００３２】
以上如く、リアカバーヒンジ７０をロータリーカバーの上面に装着する構造とすることにより、リアカバー２のロータリーカバー１への取り付けが容易になって、作業を簡便にすることができる。また、リアカバー２に固着したヒンジピン７１を段付きピンに構成することにより、リアカバーヒンジ７０のヒンジ部７０ａを小さく構成することができ、リアカバー２の凹部２ｂの切欠面積を小さくして、該凹部２ｂにより形成される間隙を小さくすることができる。さらに、ヒンジピン７１を段付きピンに構成することによって、該ヒンジピン７１のリアカバー２への固着面積を大きくすることが可能となり、ヒンジピン７１のリアカバー２に対する固着強度を向上することができる。また、リアカバーヒンジ７０をバネ状部材に構成することにより、該リアカバーヒンジ７０により負荷を吸収することができるので、リアカバー２に過負荷が作用した場合であっても、該リアカバーヒンジ７０に過度の強度を持たせることなく、該リアカバーヒンジ７０の破損を防止することが可能となる。
【００３３】
【発明の効果】
本発明は、以上のように構成したことにより、次のような効果が得られる。
請求項１記載の如く、ロータリーカバー（１）を有するロータリー耕耘装置において、該ロータリーカバー（１）を前後回動操作するロータリーカバー操作スクリュウ（９）を設け、該ロータリーカバー操作スクリュウ（９）のリテーナ（５０）に、パイプ状に形成したリテーナ延長パイプ（９ｅ）を取り付けて、該リテーナ延長パイプ（９ｅ）とリテーナ（５０）とをロールピン（５３）により固定し、アッパーアーム（７）に固設したリテーナブラケット（７ａ）に該リテーナ延長パイプ（９ｅ）を挿入し、該ロータリーカバー操作スクリュウ（９）をアッパーアーム（７）に対して回動自在に支持し、該リテーナ延長パイプ（９ｅ）の反リテーナ（５０）側端部には、止め輪等の係止部材（５４）を環装して、リテーナ延長パイプ（９ｅ）がリテーナブラケット（７ａ）から抜け出ることを防止し、またリテーナ延長パイプ（９ｅ）のリテーナ（５０）側端部は、リテーナ（５０）の端面に当接させ、ロータリーカバー操作スクリュウ（９）のアッパーアーム（７）に対する位置を決めるので、該ロータリーカバー操作スクリュウのリテーナ部を構成する場合に、各構成部材を溶接等により連結する必要がなくなるとともに、構成部材の機械加工部分を減少することができるため、組み付け作業が容易になり、コスト低減を図ることが可能となる。
また、リテーナの共用が可能となり、リテーナ延長パイプがリテーナから抜け出すことを防止することができる。
また、リテーナ部にリテーナ延長パイプの如くパイプ部材を用いることで、ロータリーカバー操作スクリュウの軽量化を図ることができる。
【００３４】
請求項２記載の如く、請求項１記載のロータリー耕耘装置において、該ロータリーカバー操作スクリュウ（９）のリテーナ（５０）に、パイプ状に形成され、操作スクリュウ（９）の外周部を覆うスクリュウカバー（５１）を挿嵌して取り付け、該リテーナ（５０）及びスクリュウカバー（５１）の挿嵌部の略対向する位置にそれぞれ固定孔（５０ａ・５０ａ）（５１ａ・５１ａ）を形成して、互いに対向する位置に形成した固定孔（５０ａ・５１ａ）（５０ａ・５１ａ）を、それぞれ軸心から反対方向にオフセットさせ、該操作スクリュウ（９）を回転操作する操作ハンドル（９ｃ）の回転を規制するハンドルストッパ（５２）の両端部を、該固定孔（５０ａ・５１ａ）（５０ａ・５１ａ）に挿入することにより、スクリュウカバー（５１）をリテーナ（５０）に固定したので、スクリュウカバーをリテーナに固定するための固定部材を別に設ける必要がなくなり、コストダウンを図ることができる。
また、ハンドルストッパの保持力を向上することができ、スクリュウカバーを確実に固定することが可能となって、該スクリュウカバーがリテーナから経年変化によって外れることを防止することができる。
【図面の簡単な説明】
【図１】  本発明のロータリー耕耘装置を示す全体側面図である。
【図２】  同じく平面図である。
【図３】  ロータリーカバー操作スクリュウを示す側面断面図である。
【図４】  同じく平面断面図である。
【図５】  アジャストスクリュウのリテーナ部を示す側面断面図である。
【図６】  アジャストスクリュウのリテーナ部に装着されたカバーロック部材を示す側面図である。
【図７】  ロータリーカバーとリアカバーとの枢支部を示す側面図である。
【図８】  同じく平面図である。
【符号の説明】
１  ロータリーカバー
２  リアカバー
７  アッパーアーム
９  ロータリーカバー操作スクリュウ
９ａ  回動軸部
９ｂ  伸縮部
９ｃ  操作ハンドル
９ｅ  リテーナ延長パイプ
３９  尾輪支持用フレーム
４１  アジャストスクリュウ
４１ａ  回動軸部
４１ｂ  伸縮部
４２  アジャストハンドル
５０  （ロータリーカバー操作スクリュウの）リテーナ
５１  スクリュウカバー
５２  ハンドルストッパ
５３  ロールピン
６０  （アジャストスクリュウの）リテーナ
６１  アジャストスクリュウカバー
６１ａ  嵌合孔
６２  カバーロック部材
６２ａ  爪部
６２ｂ  把手部
７０  リアカバーヒンジ
７１  ヒンジピン
【図１】
0003947626.tif 000002
【図２】
0003947626.tif 000003
【図３】
0003947626.tif 000004
【図４】
0003947626.tif 000005
【図５】
0003947626.tif 000006
【図６】
0003947626.tif 000007
【図７】
0003947626.tif 000008
【図８】
0003947626.tif 000009